(57)【要約】【課題】  簡易な構成で、より施行が容易で、美観の優れた外流しを提供しようとする。【解決手段】  従来の外流しにかわって、水道管の立ち上がり部を収納できる収納空間を隠す様に覆う板材である上部構造板材と上部構造部材の下部に連なる板材である上部連結板材とを有する上部構造部材と、水栓から出た水を一時的に溜めることをできる水盤部を形成する板材である下部構造板材と下部構造板材の背部に連なる板材である下部連結板材とを有する下部構造部材と、を備え、前記上部構造部材と前記下部構造部材とが連結された際に、前記上部連結板材と前記下部連結板材とが互いの面を合わせて重なる外流しカバーを有するものとする。【選択図】    図１
0003135146.tif 000002
【実用新案登録請求の範囲】
【請求項１】
地面の上に立ち上げられた水道管の端部に取り付けられた水栓から水を流すための外流しカバーであって、
水道管の立ち上がり部を収納できる収納空間を隠す様に覆う板材である上部構造板材と該上部構造部材の下部に連なる板材である上部連結板材とを有する上部構造部材と、
水栓から出た水を一時的に溜めることをできる水盤部を形成する板材である下部構造板材と該下部構造板材の背部に連なる板材である下部連結板材とを有する下部構造部材と、
を備え、
前記上部構造部材と前記下部構造部材とが連結された際に、前記上部連結板材と前記下部連結板材とが互いの面を合わせて重なる、
ことを特徴とする外流しカバー。
【請求項２】
前記上部連結板材が面を正面に向けた上部連結正面部と面を上下に向けた左右一対の上部連結左水平部と上部連結右水平部と面を左右に向けた左右一対の上部連結左側部と上部連結右側部とを持ち、
前記下部連結板材が面を正面に向けた下部連結正面部と面を上下に向けた左右一対の下部連結左水平部と下部連結右水平部と面を左右に向けた左右一対の下部連結左側部と下部連結右側部を持ち、
前記上部構造部材と前記下部構造部材とが連結された際に、前記上部連結正面部と前記下部連結正面部とが重なり、前記上部連結左水平部と前記下部連結左水平部とが重なり、前記上部連結右水平部と前記下部連結右水平部とが重なり、前記上部連結左側部と前記下部連結左側部とが重なり、前記上部連結右側部と前記下部連結右側部とが重なる、
ことを特徴とする請求項１に記載の外流しカバー。
【請求項３】
前記上部連結正面部の上端が前記上部構造板材の下部に連なり、前記上部連結左水平部の左端が前記上部構造板材の下部に連なり、前記上部連結左水平部の右端と前記上部連結左側部の上端とが連なり、前記上部連結右水平部の右端が前記上部構造板材の下部に連なり、前記上部連結右水平部の左端と前記上部連結右側部の上端とが連なり、
前記下部連結正面部の上端が前記下部構造板材の背部に連なり、前記下部連結左水平部の左端が前記下部構造板材の背部に連なり、前記下部連結右水平部の右端が前記下部構造板材の背部に連なり、前記下部連結左側部の上端と前記下部連結左水平部の右端とが連なり、前記下部連結右側部の上端と前記下部連結右水平部の左端とが連なる、
ことを特徴とする請求項２に記載の外流しカバー。
【請求項４】
前記上部構造板材が凹凸部を持った正面を形成し、
前記上部構造部材と前記下部構造部材とが連結された際に、前記凹凸部の少なくとも前方へ突き出た部分の最も下の箇所が前記下部構造板材の上部に重なる、
ことを特徴とする請求項３に記載の外流しカバー。
【請求項５】
前記上部連結右側部が上方から下方へ移行するにそって左側へ所定角度で傾斜し、
前記上部連結左側部が上方から下方に移行するにそって右側へ前記所定角度で傾斜し、
前記下部連結右側部が上方から下方へ移行するにそって左側へ前記所定角度で傾斜し、
前記下部連結左側部が上方から下方に移行するにそって右側へ前記所定角度で傾斜する、ことを特徴とする請求項４に記載の外流しカバー。
【請求項６】
前記上部構造板材が正面を形成する上部構造正面部と前から見て上方に湾曲した上面と該上面に滑らかに連なった左右一対の右側面と左側面とを形成する上部構造側部とを持ち、
前記下部構造板材が上面に前記水盤部を形成する下部構造上面部と上から見て前方に湾曲した正面と該正面に滑らかに連なった左右一対の右側面と左側面とを形成する下部構造側部とをもち、
前記上部構造正面部が正面の一部にものを一時的に置くことをできる窪みを形成する、
ことを特徴とする請求項５に記載の外流しカバー。
【請求項７】
前記上部構造板材の表面と前記下部構造板材の表面とに美観を共通にする色彩が施される、
ことを特徴とする請求項５に記載の外流しカバー。
【考案の詳細な説明】
【技術分野】
【０００１】
本考案は、主に屋外に設置される流し装置に係る。
【背景技術】
【０００２】
主に、建屋の水まわり設備として、屋外に水を流すための外流し装置が設けられる。
一般的な外流し装置は、水栓と水栓柱と外流し槽と基礎ブロックとで構成される。
配管が水栓柱の中に設けられる。配管の一方の端部が、水栓柱の上部に側面を貫通して固定される。配管の他方の端部が、水栓柱の下部に側面を貫通して固定される。
より安価な外流し装置は、水栓と水道管と外流し槽と基礎ブロックとで構成される。
【０００３】
一般的な外流し装置の付設手順を説明する。
水道管を地面の下に付設する。
水栓柱を地面に立てて、水道管を水栓柱に設けられた配管の下方の端部にねじ込む。
水栓を水栓柱に設けられた配管の上方の端部にねじ込む。
基礎ブロックを水栓柱に沿って地面に付設する。
外流し槽を基礎ブロックの上に固定する。
【０００４】
より安価な外流し装置の付設手順を説明する。
水道配管を地面から上に立ち上げで付設する。
水栓を水道管の端部にねじ込む。
基礎ブロックを水道管の立ち上がり部に沿って地面に付設する。
外流し槽を基礎ブロックの上に固定する。
【０００５】
市場では、より施行が簡単で、美観の優れた流し装置がｓ求められていた。
【０００６】
【特許文献１】公開実用昭６１−１７３５７５号
【特許文献２】特開平１０−１７６３５２号
【特許文献３】特開２００１−３４８９２９号
【特許文献４】特開２００４−２１８２９７号
【考案の開示】
【考案が解決しようとする課題】
【０００７】
本考案は以上に述べた問題点に鑑み案出されたもので、簡易な構成で、より施行が容易で、美観の優れた外流しを提供しようとする。
【課題を解決するための手段】
【０００８】
上記目的を達成するため、本考案に係る地面の上に立ち上げられた水道管の端部に取り付けられた水栓から水を流すための外流しカバーを、水道管の立ち上がり部を収納できる収納空間を隠す様に覆う板材である上部構造板材と該上部構造部材の下部に連なる板材である上部連結板材とを有する上部構造部材と、水栓から出た水を一時的に溜めることをできる水盤部を形成する板材である下部構造板材と該下部構造板材の背部に連なる板材である下部連結板材とを有する下部構造部材と、を備え、前記上部構造部材と前記下部構造部材とが連結された際に、前記上部連結板材と前記下部連結板材とが互いの面を合わせて重なる、ものとした。
【０００９】
上記本考案の構成により、上部構造部材の上部構造板材が水道管の立ち上がり部を収納できる収納空間を隠す様に覆う板材である。上部構造部材の上部連結板材が該上部構造部材の下部に連なる板材である。下部構造部材の下部構造板材が水栓から出た水を一時的に溜めることをできる水盤部を形成する板材である。下部構造部材の下部連結板材が該下部構造板材の背部に連なる板材である。前記上部構造部材と前記下部構造部材とが連結された際に、前記上部連結板材と前記下部連結板材とが互いの面を合わせて重なる。
その結果、前記上部構造部材と前記下部構造部材とが、一体となり、水道管の立ち上がり部を収納できる収納空間を隠し、水栓から出た水を一時的に溜めることをできる前記水盤部を形成する。
【００１０】
以下に、本考案の実施形態に係る外流しカバーを説明する。本考案は、以下に記載した実施形態のいずれか、またはそれらの中の二つ以上が組み合わされた態様を含む。
【００１１】
さらに、本考案の実施形態に係る外流しカバーは、前記上部連結板材が面を正面に向けた上部連結正面部と面を上下に向けた左右一対の上部連結左水平部と上部連結右水平部と面を左右に向けた左右一対の上部連結左側部と上部連結右側部とを持ち、前記下部連結板材が面を正面に向けた下部連結正面部と面を上下に向けた左右一対の下部連結左水平部と下部連結右水平部と面を左右に向けた左右一対の下部連結左側部と下部連結右側部を持ち、前記上部構造部材と前記下部構造部材とが連結された際に、前記上部連結正面部と前記下部連結正面部とが重なり、前記上部連結左水平部と前記下部連結左水平部とが重なり、前記上部連結右水平部と前記下部連結右水平部とが重なり、前記上部連結左側部と前記下部連結左側部とが重なり、前記上部連結右側部と前記下部連結右側部とが重なる
上記本考案の構成により、前記上部連結板材の上部連結正面部が面を正面に向ける。
前記上部連結板材の左右一対の上部連結左水平部と上部連結右水平部とが面を上下に向ける。前記上部連結板材の左右一対の上部連結左側部と上部連結右側部とが面を左右に向ける。前記下部連結板材の下部連結正面部が面を正面に向ける。前記下部連結板材の左右一対の下部連結左水平部と下部連結右水平部と面を上下に向ける。前記下部連結板材の左右一対の下部連結左側部と下部連結右側部面を左右に向ける。前記上部構造部材と前記下部構造部材とが連結される際に、前記上部連結正面部と前記下部連結正面部とが重なる。前記上部連結左水平部と前記下部連結左水平部とが重なる。前記上部連結右水平部と前記下部連結右水平部とが重なる。前記上部連結左側部と前記下部連結左側部とが重なる。前記上部連結右側部と前記下部連結右側部とが重なる。
その結果、上部構造部材と下部構造部材とが、互いに位置決めされた状態で一体となる。
【００１２】
さらに、本考案の実施形態に係る外流しカバーは、前記上部連結正面部の上端が前記上部構造板材の下部に連なり、前記上部連結左水平部の左端が前記上部構造板材の下部に連なり、前記上部連結左水平部の右端と前記上部連結左側部の上端とが連なり、前記上部連結右水平部の右端が前記上部構造板材の下部に連なり、前記上部連結右水平部の左端と前記上部連結右側部の上端とが連なり、前記下部連結正面部の上端が前記下部構造板材の背部に連なり、前記下部連結左水平部の左端が前記下部構造板材の背部に連なり、前記下部連結右水平部の右端が前記下部構造板材の背部に連なり、前記下部連結左側部の上端と前記下部連結左水平部の右端とが連なり、前記下部連結右側部の上端と前記下部連結右水平部の左端とが連なる。
上記本考案の構成により、前記上部連結正面部の上端が前記上部構造板材の下部に連なる。前記上部連結左水平部の左端が前記上部構造板材の下部に連なる。前記上部連結左水平部の右端と前記上部連結左側部の上端とが連なる。前記上部連結右水平部の右端が前記上部構造板材の下部に連なる。前記上部連結右水平部の左端と前記上部連結右側部の上端とが連なる。前記下部連結正面部の上端が前記下部構造板材の背部に連なる。前記下部連結左水平部の左端が前記下部構造板材の背部に連なる。前記下部連結右水平部の右端が前記下部構造板材の背部に連なる。前記下部連結左側部の上端と前記下部連結左水平部の右端とが連なる。前記下部連結右側部の上端と前記下部連結右水平部の左端とが連なる。
その結果、前記上部連結板材と前記下部連結板材とが重なって、前記上部構造板材と前記下部構造板材とが強固に一体となる。
【００１３】
さらに、本考案の実施形態に係る外流しカバーは、前記上部構造板材が凹凸部を持った正面を形成し、前記上部構造部材と前記下部構造部材とが連結された際に、前記凹凸部の少なくとも前方へ突き出た部分の最も下の箇所が前記下部構造板材の上部に重なる。
上記本考案の構成により、前記上部構造板材が凹凸部を持った正面を形成する。前記上部構造部材と前記下部構造部材とが連結された際に、前記凹凸部の少なくとも前方へ突き出た部分の最も下の箇所が前記下部構造板材の上部に重なる。
その結果、前記上部構造部材と前記上部構造部材とが連結された際に、前記上部構造板材と前記下部構造板材との隙間が目立たなくなる。
【００１４】
さらに、本考案の実施形態に係る外流しカバーは、前記上部連結右側部が上方から下方へ移行するにそって左側へ所定角度で傾斜し、前記上部連結左側部が上方から下方に移行するにそって右側へ前記所定角度で傾斜し、前記下部連結右側部が上方から下方へ移行するにそって左側へ前記所定角度で傾斜し、前記下部連結左側部が上方から下方に移行するにそって右側へ前記所定角度で傾斜する。
上記本考案の構成により、前記上部連結右側部が上方から下方へ移行するにそって左側へ所定角度で傾斜する。前記上部連結左側部が上方から下方に移行するにそって右側へ前記所定角度で傾斜する。前記下部連結右側部が上方から下方へ移行するにそって左側へ前記所定角度で傾斜する。前記下部連結左側部が上方から下方に移行するにそって右側へ前記所定角度で傾斜する。
その結果、前記上部構造部材と前記上部構造部材とが連結された際に、左右一対の前記上部連結右側部と前記上部連結左側部とが左右一対の前記下部連結右側部と前記下部連結左側部にテーパ状にくい込み、前記上部構造部材と前記上部構造部材とが強固に一体化する。
【００１５】
さらに、本考案の実施形態に係る外流しカバーは、前記上部構造板材が正面を形成する上部構造正面部と前から見て上方に湾曲した上面と該上面に滑らかに連なった左右一対の右側面と左側面とを形成する上部構造側部とを持ち、前記下部構造板材が上面に前記水盤部を形成する下部構造上面部と上から見て前方に湾曲した正面と該正面に滑らかに連なった左右一対の右側面と左側面とを形成する下部構造側部とをもち、前記上部構造正面部が正面の一部にものを一時的に置くことをできる窪みを形成する。
上記本考案の構成により、前記上部構造板材の上部構造正面部が正面を形成する。前記上部構造板材の上部構造側部が前から見て上方に湾曲した上面と該上面に滑らかに連なった左右一対の右側面と左側面とを形成する。前記下部構造板材の下部構造上面部が上面に前記水盤部を形成する。前記下部構造板材の下部構造側部が上から見て前方に湾曲した正面と該正面に滑らかに連なった左右一対の右側面と左側面とを形成する。前記上部構造正面部が正面の一部にものを一時的に置くことをできる窪みを形成する。
その結果、前記上部構造部材と前記上部構造部材とが連結された際に、上部が正面から見て湾曲した上面と該上面に滑らかに連なった左右一対の右側面と左側面とで囲われ、下部の水盤部が上から見て前方に湾曲した正面と該正面に滑らかに連なった左右一対の右側面と左側面とで囲われ、前記上部構造正面部が正面の一部にものを一時的に置くことをできる窪みがあり、安定感のある形状を作り出す。
【００１６】
さらに、本考案の実施形態に係る外流しカバーは、前記上部構造板材の表面と前記下部構造板材の表面とに美観を共通にする色彩が施される。
上記本考案の構成により、前記上部構造板材の表面と前記下部構造板材の表面とに美観を共通にする色彩が施される。
その結果、連結された前記上部構造部材と前記上部構造部材とが、視覚的に一体感を有する。
【考案の効果】
【００１７】
以上説明したように本考案に係るその外流しカバーは、その構成により、以下の効果を有する。
水道管の立ち上がり部を隠す前記上部構造板材と前記上部構造板材の下部に連なる上部連結板材とでできた前記上部構造部材と水盤部を形成する前記下部構造板材と前記下部構造板材の背部に連なる前記下部連結板材でできた前記下部構造部材とを用意し、前記上部連結板材と前記下部連結板材とが互いの面を合わせて重ねて前記上部構造部材と前記下部構造部材とが連結する様にしたので、前記上部構造部材と前記下部構造部材とが、一体となり、水道管の立ち上がり部を収納できる収納空間を隠し、水栓から出た水を一時的に溜めることをできる前記水盤部を形成する。
また、前記上部連結板材を正面に向いた上部連結正面部と上下に向いた左右一対の上部連結左水平部と上部連結右水平部と左右に向いた左右一対の上部連結左側部と上部連結右側部とで構成し、前記下部連結板材を正面に向いた下部連結正面部と上下に向いた左右一対の下部連結左水平部と下部連結右水平部と左右に向いた左右一対の下部連結左側部と下部連結右側部とで構成し、上部連結部材の正面を下部連結部材の正面に、上部連結部材の左右を下部連結部材の左右に向けて、互いの面を合わせて重ねる様にしたので、上部構造部材と下部構造部材とが、互いに位置決めされた状態で一体となる。
また、前記上部連結正面部の上端が前記上部構造板材の下部に連なり、前記上部連結左水平部の左端が前記上部構造板材の下部に連なり、前記上部連結左水平部の右端と前記上部連結左側部の上端とが連なり、前記上部連結右水平部の右端が前記上部構造板材の下部に連なり、前記上部連結右水平部の左端と前記上部連結右側部の上端とが連なり、前記下部連結正面部の上端が前記下部構造板材の背部に連なり、前記下部連結左水平部の左端が前記下部構造板材の背部に連なり、前記下部連結右水平部の右端が前記下部構造板材の背部に連なり、前記下部連結左側部の上端と前記下部連結左水平部の右端とが連なり、前記下部連結右側部の上端と前記下部連結右水平部の左端とが連なる様にしたので、前記上部連結板材と前記下部連結板材とが重なって、前記上部構造板材と前記下部構造板材とが強固に一体となる。
また、前記上部構造板材が凹凸部を持った正面を形成し、前記上部構造部材と前記下部構造部材とが連結された際に、前記凹凸部の少なくとも前方へ突き出た部分の最も下の箇所が前記下部構造板材の上部に重なる、様にしたので、前記上部構造部材と前記上部構造部材とが連結された際に、前記上部構造板材と前記下部構造板材との隙間が目立たなくなる。
また、前記上部構造部材と前記上部構造部材とが連結された際に、左右一対の前記上部連結右側部と前記上部連結左側部とが左右一対の前記下部連結右側部と前記下部連結左側部にテーパ状にくい込む様にしたので、前記上部構造部材と前記上部構造部材とが強固に一体化する。
また、前記上部構造板材が正面を形成する板材と前から見て上方に湾曲した上面と該上面に滑らかに連なった左右一対の右側面と左側面とを形成する板材とを持ち、前記下部構造板材が前記水盤部を形成する板材と上から見て前方に湾曲した正面と該正面に滑らかに連なった左右一対の右側面と左側面とを形成する板材とをもち、正面の一部にものを一時的に置くことをできる窪みを形成する様にしたので、前記上部構造部材と前記上部構造部材とが連結された際に、上部が正面から見て湾曲した上面と該上面に滑らかに連なった左右一対の右側面と左側面とで囲われ、下部の水盤部が上から見て前方に湾曲した正面と該正面に滑らかに連なった左右一対の右側面と左側面とで囲われ、前記上部構造正面部が正面の一部にものを一時的に置くことをできる窪みがあり、安定感のある形状を作り出す。
また、前記上部構造板材の表面と前記下部構造板材の表面とに美観を共通にする色彩が施される様にしたので、連結された前記上部構造部材と前記上部構造部材とが、視覚的に一体感を有する。
従って、簡易な構成で、より施行が容易で、美観の優れた外流しカバーを提供できる。
【考案を実施するための最良の形態】
【００１８】
以下、本考案を実施するための最良の形態を、図面を参照して説明する。なお、各図において、共通する部分には同一の符号を付し、重複した説明を省略する。
【００１９】
最初に、本考案の第一の実施形態に係る外流しカバーを、図を基に、説明する。
図１は、本考案の第一の実施形態に係る外流しカバーの斜視図である。図２は、本考案の第一の実施形態に係る外流しカバーの組立図である。図３は、本考案の第一の実施形態に係る外流しカバーの側面断面図である。図４は、本考案の第一の実施形態に係る外流しカバーの背面図である。
外流し装置を壁の際に設ける場合を例に説明する。
以下では、説明の便宜上、外流し装置の壁に接する側を背部、反対の側を正面部と呼ぶ。また、正面の側から壁を見て、右手の方向を右側、左手の方向を左側と呼ぶ。
【００２０】
外流し装置は、水を流すための装置である。
外流し装置は、外流しカバー１０と水栓ソケット２０と排水ブラケット３０と水栓４０と水道管５０と配水管６０で構成される。
【００２１】
外流しカバー１０は、水道管５０を視界から隠し、水を受けるものである。
水栓ソケット２０は、水道管５０の頂部に連通し、外流しカバー１０に支持されるものである。
排水ブラケット３０は、配水管６０の頂部に連通し、外流しカバー１０に支持されるものである。
水栓４０は、開閉可能な弁であり、水栓ソケット２０に取り付けられる。
例えば、水栓４０の取り付け部が雄ねじであり、取り付け部を水栓ソケット２０に水密にねじ込まれる。
水道管５０は、水道を流す配管である。水道管５０は地面から立ち上がる。
排水管６０は、外流しカバー１０に一時的に溜められた水を排水するための配管である。
【００２２】
以下に、外流しカバー１０の構造を詳述する。
外流しカバー１０は、地面の上に立ち上げられた水道管５０の端部に取り付けられた水栓から水を流すためのものである。
外流しカバー１０は、上部構造部材１００と下部構造部材２００と取り付けねじ（図示せず）とで構成される。
【００２３】
上部構造部材１００は、主に水道管５０を隠し、水栓４０を支持するための構造部材であり、上部構造板材１１０と上部連結板材１２０とで構成される。
上部構造板材１１０と上部連結板材１２０とは、面が一続きになった板材であってもよい。
上部構造板材１１０は、水道管の立ち上がり部を収納できる収納空間Ｈを隠す様に覆う板材である。
例えば、上部構造板材１１０は、上部構造正面部１１１と上部構造側部１１２とで構成される。
上部構造正面部１１１は、上部構造板材１１０の正面を形成する部分である。
上部構造側部１１２は、前から見て上方に湾曲した上面と上面に滑らかに連なった左右一対の右側面と左側面とを形成する部分である。
上部構造正面部１１１の周囲の辺と上部構造側部１１２の前方の辺とが連なる。
【００２４】
上部連結板材１２０は、上部構造部材１１０の下部に連なる板材である。
上部連結板材１２０は、後述する下部連結板材２２０に連結するためのものである。
例えば、上部連結板材１２０は、上部連結正面部１２１と左右一対の上部連結左水平部１２２ｌと上部連結右水平部１２２ｒと左右一対の上部連結左側部１２３ｌと上部連結右側部１２３ｒとで構成される。
上部連結正面部１２１は、面を正面に向けた部分である。
上部連結正面部１２１の上端が上部構造板材１１０の下部に連なる。
例えば、上部連結正面部１２１の上方の辺が上部構造正面部１１１の下方の辺に連なる。
左右一対の上部連結左水平部１２２ｌと上部連結右水平部１２２ｒとは、面を上下に向けた板材である。上部連結左水平部１２２ｌの左端が上部構造板材１１０の下部に連なり、上部連結右水平部１２２ｒの右端が上部構造板材１１０の下部に連なる。
例えば、上部連結左水平部１２２ｌの左側の辺が上部構造側部１１２の左側の下端の辺に連なる。上部連結右水平部１２２ｒの右側の辺が上部構造側部１１２の右側の下端の辺に連なる。
また、上部連結左水平部１２２ｌの前方の辺が上部構造正面部１１１の左側の下端の辺に連なり、上部連結右水平部１２２ｒの前方の辺が上部構造正面部１１１の右側の下端の辺に連なる。、
左右一対の上部連結左側部１２３ｌと上部連結右側部１２３ｒは、面を左右に向けた板材である。上部連結左水平部１２２ｌの右端と上部連結左側部１２３ｌの上端とが連なり、上部連結右水平部１２２ｒの左端と上部連結右側部１２３ｒの上端とが連なる。また、上部連結左側部１２３ｌの前方の辺が上部連結正面部１２１の左側の辺に連なり、上部連結右側部１２３ｒの前方の辺が上部連結正面部１２１の右側の辺に連なる。
【００２５】
下部構造部材２００は、主に水盤部Ｐに水を一時的に溜め、排水するための部材であり、下部構造板材２１０と下部連結板材２２０とで構成される。
下部構造板材２１０と下部連結板材２２０とは、面が一続きになった板材であってもよい。
下部構造板材２１０は、水栓から出た水を一時的に溜めることをできる水盤部Ｐを形成する板材である。
例えば、下部構造板材２１０は、下部構造上面部２１１と下部構造側部２１２とで構成される。
下部構造上面部２１１は、水盤部Ｐを形成する板材である。
例えば、下部構造上面部２１１は、水盤部Ｐに相当する凹み部と凹み部の周囲を環状に囲う平面部とを形成する。
下部構造側部２１２は、上から見て前方に湾曲した正面と正面に滑らかに連なった左右一対の右側面と左側面とを形成する部分である。
下部構造上面部２１１の周囲のＵ字形状の辺と下部構造側部２１２の上方の辺とが連なる。
【００２６】
下部連結板材２２０は、下部構造板材２１０の背部に連なる板材である。
下部連結板材２２０は、上部連結板材１２０に連結するためのものである。
例えば、下部連結板材２２０は、下部連結正面部２２１と左右一対の下部連結左水平部２２２ｌと下部連結右水平部２２２ｒと左右一対の下部連結左側部２２３ｌと下部連結右側部２２３ｒとで構成される。
下部連結正面部２２１は、面を正面に向けた部分である。下部連結正面部２２１の上端が下部構造板材の背部に連なる。
例えば、下部連結正面部２２１の上方の辺が、下部構造上面部２１１の環状の水平部の背部の辺に連なる。
左右一対の下部連結左水平部２２２ｌと下部連結右水平部２２２ｒとは、上下に面を向けた部分である。下部連結左水平部２２２ｌの左端が下部構造板材２１０の背部に連なり、下部連結右水平部２２２ｒの右端が下部構造板材２１０の背部に連なる。
例えば、下部連結左水平部２２２ｌの左方の辺が下部構造側部２１２の背部の左側の辺に連なり、下部連結右水平部２２２ｒの右方の辺が下部構造側部２１２の背面の右側の辺に連なる。
左右一対の下部連結左側部２２３ｌと下部連結右側部２２３ｒとは、左右に面を向ける部分である。下部連結左側部２２３ｌの上端と下部連結左水平部２２２ｌの右端とが連なり、下部連結右側部２２３ｒの上端と下部連結右水平部２２２ｒの左端とが連なる。また、下部連結左側部２２３ｌの前方の辺が下部連結正面部２２１の左側の辺に連なり、下部連結右側部２２３ｒの前方の辺が下部連結正面部２２１の右側の辺に連なる。
【００２７】
上部構造部材１００と下部構造部材２００とが連結された際に、上部連結板材１２０と下部連結板材２２０とが互いの面を合わせて重なる。
この姿勢で、ボルト、ねじ、リベット等の締結要素で上部連結板材１２０と下部連結板材２２０とを結合する。
例えば、上部構造部材１００と下部構造部材２００とが連結された際に、上部連結正面部１２１と下部連結正面部２２１とが重なり、上部連結左水平部１２２ｌと下部連結左水平部２２２ｌとが重なり、上部連結右水平部１２２ｒと下部連結右水平部２２２ｒとが重なり、上部連結左側部１２３ｌと下部連結左側部２２３ｌとが重なり、上部連結右側部１２３ｒと下部連結右側部２２３ｒとが重なる。
【００２８】
上部構造板材１１０が凹凸部を持った正面を形成し、
上部構造部材１００と下部構造部材２００とが連結された際に、上部構造板材１１０の凹凸部の少なくとも前方へ突き出た部分の最も下の箇所が下部構造板材２１０の上部に重なってもよい。
図３において、Ｇ部が上部構造板材１１０の凹凸部の少なくとも前方へ突き出た部分の最も下の箇所であって、Ｇ部が下部構造板材２１０の上部に重なっている。
【００２９】
上部連結右側部１２３ｒが上方から下方へ移行するにそって左側へ所定角度で傾斜し、上部連結左側部１２３ｌが上方から下方に移行するにそって右側へ所定角度で傾斜し、下部連結右側部２２３ｒが上方から下方へ移行するにそって左側へ所定角度で傾斜し、下部連結左側部２２３ｌが上方から下方に移行するにそって右側へ所定角度で傾斜してもよい。
【００３０】
上部構造正面部１１１が正面の一部にものを一時的に置くことをできる窪みを形成する。
【００３１】
上部構造板材１１０の表面と下部構造板材２１０の表面とに美観を共通にする色彩が施されてもよい。
また、上部構造板材１１０の表面と下部構造板材２１０の表面とが美観を共通にする形状をもっていてもよい。
例えば、上部構造板材１１０の表面と下部構造板材２１０の表面とが石材を積まれてできている様な外観をもっていいる。
また、例えば、上部構造板材１１０の表面と下部構造板材２１０の表面とが石材に所定の形状を掘り込んでできている様な外観をもっていいる。
図１は、第一の実施形態に係る外流しの上部構造板材１１０の表面と下部構造板材２１０の表面とに美観を共通にする色彩が施されているのを示している。
図５は、本考案の第二の実施形態に係る外流しカバーの斜視図である。
図５は、第一の実施形態に係る外流しカバに施されたものとは異なる美観を感じさせる形状と色彩を有する外流しを示す。
また、図５において、Ｇ部が上部構造板材１１０の凹凸部の少なくとも前方へ突き出た部分の最も下の箇所であって、Ｇ部が下部構造板材２１０の上部に重なっている。
【００３２】
次に、本考案の実施形態にかかる外流し装置の施行手順を説明する。
（Ａ）
建屋の壁に沿って水道管５０と排水管６０とを付設する。
水道管５０を壁に沿って地面から立ち上げる。
この時には、屋外の地面の造成は完成していない。
（Ｂ）
水栓ソケット２０を水道管５０の端部に連通させる。
外流しカバー１０を壁に固定する。
水栓４０の雄ねじを水栓ソケット２０にねじ込む。
水道管５０を排水ブラケット３０に連通させる。
。
（Ｃ）
屋外の地面の造成をする。
外流しカバーの下部の周囲を土で埋める。
【００３３】
上述の実施形態の外流しカバーを用いれば、以下の効果を発揮する。
水道管５０の立ち上がり部を隠す上部構造板材１１０と上部構造板材１１０の下部に連なる上部連結板材１２０とでできた上部構造部材１００と水盤部を形成する下部構造板材２１０と下部構造板材２１０の背部に連なる下部連結板材２２０でできた下部構造部材２００とを用意し、上部連結板材１２０と下部連結板材２２０とが互いの面を合わせて重ねて上部構造部材１００と下部構造部材２００とを連結する様にしたので、上部構造部材１００と下部構造部材２００とが、一体となり、水道管５０の立ち上がり部を収納できる収納空間Ｈを隠し、水栓４０から出た水を一時的に溜めることをできる水盤部Ｐを形成する。
また、上部連結板材１２０を正面に向いた上部連結正面部１２１と上下に向いた左右一対の上部連結左水平部１２２ｌと上部連結右水平部１２２ｒと左右に向いた左右一対の上部連結左側部１２３ｌと上部連結右側部１２３ｒとで構成し、下部連結板材２２０を正面に向いた下部連結正面部２２１と上下に向いた左右一対の下部連結左水平部２２２ｌと下部連結右水平部２２２ｒと左右に向いた左右一対の下部連結左側部２２３ｌと下部連結右側部２２３ｒとで構成し、上部連結部材１２０の正面を下部連結部材の正面に、上部連結部材１２０の左右を下部連結部材２２０の左右に向けて、互いの面を合わせて重ねる様にしたので、上部構造部材１００と下部構造部材２００とが、互いに位置決めされた状態で一体となる。
また、上部連結正面部１２１の上端が上部構造板材１１０の下部に連なり、上部連結左水平部１２２ｌの左端が上部構造板材１１０の下部に連なり、上部連結左水平部１２２ｌの右端と上部連結左側部１２３ｌの上端とが連なり、上部連結右水平部１２２ｒの右端が上部構造板材１１０の下部に連なり、上部連結右水平部１２２ｒの左端と上部連結右側部１２３ｒの上端とが連なり、下部連結正面部２２１の上端が下部構造板材２１０の背部に連なり、下部連結左水平部２２２ｌの左端が下部構造板材２１０の背部に連なり、下部連結右水平部２２２ｒの右端が下部構造板材２１０の背部に連なり、下部連結左側部２２３ｌの上端と下部連結左水平部２２２ｌの右端とが連なり、下部連結右側部２２３ｒの上端と下部連結右水平部２２２ｒの左端とが連なる様にしたので、上部連結板材１２０と下部連結板材２２０とが重なって、上部構造板材１１０と下部構造板材２１０とが強固に一体となる。
また、上部構造板材１１０が凹凸部を持った正面を形成し、上部構造部材１００と下部構造部材２００とが連結された際に、凹凸部の少なくとも前方へ突き出た部分の最も下の箇所Ｇが下部構造板材２１０の上部に重なる様にしたので、上部構造部材１００と上部構造部材２００とが連結された際に、上部構造板材１１０と下部構造板材１２０との隙間が目立たなくなる。
また、上部構造部材１００と上部構造部材２００とが連結された際に、左右一対の上部連結右側部１２３ｒと上部連結左側部１２３ｌとが左右一対の下部連結右側部２２３ｒと下部連結左側部２２３ｌにテーパ状にくい込む様にしたので、上部構造部材１００と上部構造部材２００とが強固に一体化する。
また、上部構造板材１１０が正面を形成する板材と前から見て上方に湾曲した上面と上面に滑らかに連なった左右一対の右側面と左側面とを形成する板材とを持ち、下部構造板材２１０が水盤部を形成する板材と上から見て前方に湾曲した正面と正面に滑らかに連なった左右一対の右側面と左側面とを形成する板材とをもち、正面の一部にものを一時的に置くことをできる窪みＱを形成する様にしたので、上部構造部材１００と上部構造部材２００とが連結された際に、上部が正面から見て湾曲した上面と上面に滑らかに連なった左右一対の右側面と左側面とで囲われ、下部の水盤部が上から見て前方に湾曲した正面と正面に滑らかに連なった左右一対の右側面と左側面とで囲われ、上部構造正面部が正面の一部にものを一時的に置くことをできる窪みがあり、安定感のある形状を作り出す。
また、上部構造板材１１０の表面と下部構造板材２１０の表面とに美観を共通にする色彩が施される様にしたので、連結された上部構造部材１００と上部構造部材２００とが、視覚的に一体感を有する。
【００３４】
本考案は以上に述べた実施形態に限られるものではなく、考案の要旨を逸脱しない範囲で各種の変更が可能である。
【図面の簡単な説明】
【００３５】
【図１】本考案の第一の実施形態に係る外流しカバーの斜視図である。
【図２】本考案の第一の実施形態に係る外流しカバーの組立図である。
【図３】本考案の第一の実施形態に係る外流しカバーの側面断面図である。
【図４】本考案の第一の実施形態に係る外流しカバーの背面図である。
【図５】本考案の第二の実施形態に係る外流しカバーの斜視図である。
【００３６】
Ｈ    収納空間
Ｑ    窪み
Ｐ    水盤部
Ｇ    箇所
１０    外流しカバー
２０    水栓ソケット
３０    排水ブラケット
４０    水栓
５０    水道管
６０    排水管
１００    上部構造部材
１１０    上部構造板材
１１１    上部構造正面部
１１２    上部構造側部
１２０    上部連結板材
１２１    上部連結正面部
１２２ｌ  上部連結左水平部
１２２ｒ  上部連結右水平部
１２３ｌ  上部連結左側部
１２３ｒ  上部連結右側部
２００    下部構造部材
２１０    下部構造板材
２１１    下部構造上面部
２１２    下部構造側部
２２０    下部連結板材
２２１    下部連結正面部
２２２ｌ  下部連結左水平部
２２２ｒ  下部連結右水平部
２２３ｌ  下部連結左側部
２２３ｒ  下部連結右側部
【図１】
0003135146.tif 000003
【図２】
0003135146.tif 000004
【図３】
0003135146.tif 000005
【図４】
0003135146.tif 000006
【図５】
0003135146.tif 000007